(57)【要約】光インターコネクト(100,200,300,400,445)は光源(110,210,240,305,440)、受光器(125,220,235,315,441)を有する第１回路基板(140,260,350,405)と、データソース(105,205,250)と光源、受光器に光学的に接続され、データソースからデータを光源からの光信号に符号化する光変調器(225,230,310,425,430,435)とを有する第２回路基板(145,265,355,410)とを備える。受光器は光信号を光変調器から受信する。光通信方法は、第１回路基板上で第２回路基板に放射される光信号を生成し、第２回路基板において光信号をデータにより変調し、光信号を第１回路基板の方へ反射し、第１回路基板において光信号を復調してデータを受信することを含む。
2010535455.tif 000002
【特許請求の範囲】
【請求項１】
光源（１１０、２１０、２４０、３０５、４４０）と受光器（１２５、２２０、２３５、３１５、４４１）とを有する第１の回路基板（１４０、２６０、３５０、４０５）と、
データソース（１０５、２０５、２５０）と、前記光源（１１０、２１０、２４０、３０５、４４０）および前記受光器（１２５、２２０、２３５、３１５、４４１）に光学的に接続される光変調器（２２５、２３０、３１０、４２５、４３０、４３５）とを有する第２の回路基板（１４５、２６５、３５５、４１０）とを備え、
前記光変調器（２２５、２３０、３１０、４２５、４３０、４３５）は、前記データソース（１０５、２０５、２５０）からのデータを前記光源（１１０、２１０、２４０、３０５、４４０）からの光信号に符号化するように構成され、
前記受光器（１２５、２２０、２３５、３１５、４４１）は前記光信号を前記光変調器（２２５、２３０、３１０、４２５、４３０、４３５）から受信するように構成されることを特徴とする光インターコネクト（１００、２００、３００、４００、４４５）。
【請求項２】
前記受光器（１２５、２２０、２３５、３１５、４４１）は、前記光信号から前記データを復号し、前記データを前記第１の回路基板（１４０、２６０、３５０、４０５）上のデータ受信器（１３５、２２５、２７０）に供給するように構成されることを特徴とする請求項１に記載の光インターコネクト（１００、２００、３００、４００、４４５）。
【請求項３】
光データチャネルの各々が、前記第１の回路基板（１４０、２６０、３５０、４０５）上に対応する光源（１１０、２１０、２４０、３０５、４４０）および受光器（１２５、２２０、２３５、３１５、４４１）を備え、前記第２の回路基板（１４５、２６５、３５５、４１０）上に対応する変調器（２２５、２３０、３１０、４２５、４３０、４３５）を備える複数の光データチャネルをさらに備えることを特徴とする請求項１に記載の光インターコネクト（１００、２００、３００、４００、４４５）。
【請求項４】
前記変調器（２２５、２３０、３１０、４２５、４３０、４３５）は湾曲形状を有することを特徴とする請求項１に記載の光インターコネクト（１００、２００、３００、４００、４４５）。
【請求項５】
前記光源（１１０、２１０、２４０、３０５、４４０）もしくは受光器（１２５、２２０、２３５、３１５、４４１）は、前記光信号を前記変調器（２２５、２３０、３１０、４２５、４３０、４３５）の方へ放射するためのレンズ（３２０）を備えることを特徴とする請求項１に記載の光インターコネクト（１００、２００、３００、４００、４４５）。
【請求項６】
前記レンズ（３２０）は作動装置により選択的に移動されて、前記光信号を前記変調器（２２５、２３０、３１０、４２５、４３０、４３５）の方へ放射することを特徴とする請求項５に記載の光インターコネクト（１００、２００、３００、４００、４４５）。
【請求項７】
前記変調器（２２５、２３０、３１０、４２５、４３０、４３５）は特定の波長もしくは波長バンドに対し選択的に反射性を有し、その他の波長を透過することを特徴とする請求項１に記載の光インターコネクト（１００、２００、３００、４００、４４５）。
【請求項８】
前記変調器（２２５、２３０、３１０、４２５、４３０、４３５）は反射する前記波長もしくは波長バンドについて調節可能であることを特徴とする請求項７に記載の光インターコネクト（１００、２００、３００、４００、４４５）。
【請求項９】
第２の回路基板（１４５、２６５、３５５、４１０）は、前記その他の波長が前記第２の回路基板（１４５、２６５、３５５、４１０）を透過するよう透過性を有することを特徴とする請求項７に記載の光インターコネクト（１００、２００、３００、４００、４４５）。
【請求項１０】
前記変調器（２２５、２３０、３１０、４２５、４３０、４３５）は前記第２の回路基板（１４５、２６５、３５５、４１０）に設けられる開口部内に配置され、これにより前記その他の波長が前記開口部を介して透過することを特徴とする請求項７に記載の光インターコネクト（１００、２００、３００、４００、４４５）。
【請求項１１】
前記インターコネクト（１００、２００、３００、４００、４４５）は、変調器（２２５、２３０、３１０、４２５、４３０、４３５）およびデータソース（１０５、２０５、２５０）を備える第３の回路基板（４１５）を少なくとも備え、
前記第３の回路基板（４１５）上の前記変調器（２２５、２３０、３１０、４２５、４３０、４３５）は、前記第２の回路基板（１４５、２６５、３５５、４１０）上の前記変調器（２２５、２３０、３１０、４２５、４３０、４３５）を介して前記第１の回路基板（１４０、２６０、３５０、４０５）上の前記光源（１１０、２１０、２４０、３０５、４４０）および受光器（１２５、２２０、２３５、３１５、４４１）に光学的に接続されることを特徴とする請求項７に記載の光インターコネクト（１００、２００、３００、４００、４４５）。
【請求項１２】
第１の回路基板（１４０、２６０、３５０、４０５）上で第２の回路基板（１４５、２６５、３５５、４１０）に放射される光信号を生成し、
前記第２の回路基板（１４５、２６５、３５５、４１０）において前記光信号をデータにより変調し、
前記光信号を前記第１の回路基板（１４０、２６０、３５０、４０５）の方へ反射し、
前記第１の回路基板（１４０、２６０、３５０、４０５）において前記光信号を復調して前記データを受信することを含むことを特徴とする光通信方法。
【請求項１３】
前記光信号を変調する際、前記データを前記第１の回路基板（１４０、２６０、３５０、４０５）上の特定のデータ受信器（１３５、２２５、２７０）に対応付けすることをさらに含むことを特徴とする請求項１２に記載の方法。
【請求項１４】
前記第２の回路基板（１４５、２６５、３５５、４１０）上の湾曲形状を有する変調器（２２５、２３０、３１０、４２５、４３０、４３５）により前記第１の回路基板（１４０、２６０、３５０、４０５）から前記光信号を受信することをさらに含むことを特徴とする請求項１２に記載の方法。
【請求項１５】
前記第２の回路基板（１４５、２６５、３５５、４１０）上の変調器（２２５、２３０、３１０、４２５、４３０、４３５）により反射される波長域に対応するよう、前記光信号を特定の波長域内で生成することをさらに含むことを特徴とする請求項１２に記載の方法。
【発明の詳細な説明】
【背景技術】
【０００１】
電子装置においては、様々な目的で光線もしくは光信号が用いられている。例えば、光信号はデータ送信、位置もしくは動作検知、計測、もしくはその他様々な用途に用いることが可能である。
【０００２】
したがって、現代電子工学においては光技術が大きな役割を果たし、電子装置の多くが光学部品を採用している。そのような光学部品には、例えば発光ダイオードおよびレーザのような光源、導波路、光ファイバ、レンズおよびその他の光学装置、光検出器およびその他の光学センサ、光検出半導体等が含まれる。
【０００３】
光学部品を利用した装置においては、多くの場合、任意の仕事を実行するために例えば光線等の光エネルギーを正確に制御する必要がある。上述したように、光信号はデジタルデータを電子装置間で長距離にわたって、および隣接する回路基板間で、もしくは同一の回路基板上の構成部材間で送信するために利用されることが多い。上述のような光信号において、光線はデータを搬送・送信するためデータ信号に変調可能である。この工程は符号化として知られている。その後、符号化された光信号はセンサに向かって放射され、当該センサは光信号を受信し、データを複号化する。
【０００４】
添付の図面は、本明細書に記載の原理の複数の実施例を示し、本明細書の一部をなす。図示の実施例は単に例示であって、特許請求の範囲を限定するものではない。
【０００５】
図面を通して、同一の参照番号は必ずしも同一ではないが同様の構成要素を示す。
【図面の簡単な説明】
【０００６】
【図１】図１は、本明細書に記載の原理による光インターコネクトの実施例のブロック図である。
【図２】図２は、本明細書に記載の原理による光インターコネクトの実施例のブロック図である。
【図３】図３は、本明細書に記載の原理による光インターコネクトの実施例を示す。
【図４】図４は、本明細書に記載の原理による光インターコネクトの実施例を示す。
【図５】図５は、本明細書に記載の原理による光通信方法の実施例のフローチャートである。
【図６】図６は、本明細書に記載の原理による光通信方法の実施例のフローチャートである。
【発明の概要】
【０００７】
上述のように、光線もしくは光信号はデータ送信等、様々な目的に利用可能である。そのような装置においては、光信号は、特定の構成部材により光信号を検出もしくは受信する光学経路内へ放射もしくは再放射される。さらに、実施の形態によっては、複数の回路基板間で１個のチャネルを利用してデータを搬送することによって効率を最適化し、各回路基板の使用される空間を最小化することが望ましい。
【０００８】
データを光学的に送信する場合、光信号は、少なくとも１個の導波路を介して送受信部材間で送信されるか、もしくは送受信部材間の自由空間を介して直接送信される。どちらの方法も異なる問題を有する。
【０００９】
自由空間を介して送信する場合、送受信部材を適切に配置する必要がある。導波路を使用する場合、配置はより容易であり、光学経路はどの形状にも対応可能である。しかしながら、この場合、製造コストが余計に発生し、導波路の接合点において光学的損失が発生し、導波路により回路基板上の空間が更に使用される。
【００１０】
多くの場合、上述のような問題に関わらず、配置の問題を最小限にするために導波路が利用される。例えば、データを支持する光信号を回路基板の端部へ導くためにプラスチック製の導波路を利用してもよい。その後、光信号を回路基板ラックのバックプレーン内の光導波路に向けて送信し、その後、別の回路基板上の別の導波路に向けて送信してもよい。しかしながら一般に、構成部材間の自由空間を介した光データ送信に比べて、上述のような導波路による解決方法では物理データパスはより長いものとなる。
【００１１】
したがって、ずれに対し耐性があり、かつ回路基板における空間が最小となるような、複数の回路基板間の構成部材間でデータを送信するための自由空間を利用した光インターコネクト装置を提供することが望ましい。
【００１２】
上述の目的および他の目的を実現するため、本明細書は、光源と、光変調器と、前記変調器から反射される変調光信号を受信する受光器とを備える、光インターコネクトに関する装置および方法を例示として開示する。より詳細には、一方向のみの通信が必要な場合、自由空間を用いた光インターコネクト装置の実施例は光源および受光器の両方を支持する回路基板を含み、他の回路基板が光変調器を含む。
【００１３】
本明細書および添付の特許請求の範囲内で使用されている通り、「光線」もしくは「光エネルギー」という用語は一般的に１０ナノメートル〜５００ミクロンの波長を有する放射エネルギーをさす。したがって当該光エネルギーは紫外線光、可視光、および赤外線光を含むが、これに限定されるものではない。また、一筋の光エネルギーは「光線」もしくは「光信号」と称してもよい。
【００１４】
本明細書および添付の特許請求の範囲内で使用されている通り、「光源」という用語は光エネルギーを発生させる装置をさす。したがって、光源の例としては発光ダイオード、レーザ、電球、およびランプを含むが、これに限定されるものではない。
【００１５】
本明細書および添付の特許請求の範囲内で使用されている通り、「光インターコネクト」という用語は、広範囲には光線が伝搬する光学経路の各部分を接続する構成部材をさす。当該光インターコネクトは、光線を誘導もしくは再放射してもよく、このことによって、光線は光線を受光するよう構成される光学部品に入射もしくは到達する。したがって、適切な光インターコネクトにより、光学経路を任意の長さもしくは形状に構成して特定の用途に適合させることが可能である。
【００１６】
本明細書および添付の特許請求の範囲内で使用されている通り、「視準を合わせる」という用語は複数の発散光線が相互に略平行の方向に再放射される工程をさす。１個の光源からの発散ビームは自己に対して視準を合わせることが可能である。また、それとは別に、もしくはそれに加えて、異なる光源からの光線は相互に対して視準を合わせることが可能である。
【００１７】
本明細書および添付の特許請求の範囲内で使用されている通り、「再集光する」という用語は、略平行の方向に伝搬する複数の光信号が一点に略集光される工程をさす。
【００１８】
以下に、説明を目的として、本発明の装置および方法を完全に理解するためのいくつかの具体的な詳細を記述する。しかしながら当業者にとっては、本発明の装置および方法は以下の詳細な記述が無くとも実施可能であることは明らかである。本明細書における「実施の形態」、「実施例」、もしくは同様の用語に関する記述については、一実施の形態もしくは一実施例に関して記載された特定の特徴、構造、もしくは特性は、少なくとも当該実施の形態に含まれるものであって、必ずしも他の実施の形態に含まれるものではない。本明細書の複数個所における複数の「一実施の形態において」という表現、もしくは同様の表現は必ずしも同一の実施の形態をさすとは限らない。
【００１９】
以下に、光インターコネクトの実施例、および前記光インターコネクトを用いた装置および方法の実施例に関し、その原理を開示する。
【発明を実施するための形態】
【００２０】
［例示的な光インターコネクト］
図１は、光インターコネクト１００の実施例のブロック図を示す。光インターコネクト１００は、光源１１０、受光器１２５、信号処理モジュール１３０、および少なくとも１つのデータ受信器１３５を支持する第１の回路基板１４０を含む。前記データ受信器１３５は例えば、プロセス、制御装置、もしくは電子データを受信および使用可能なその他の装置から成っていてもよい。
【００２１】
また、第２の回路基板１４５は第１の回路基板１４０に隣接して設けられる。第２の回路基板１４５は例えば、データソース１０５および反射型変調器１１５を支持する。
【００２２】
図示の実施例において、第１の回路基板１４０上のデータ受信器１３５は、第２の回路基板１４５上のデータソース１０５からのデータを必要とする。したがって、以下に更に詳細に記載する通り、データソース１０５からのデータは第２の回路基板１４５から第１の回路基板１４０に光学的に送信される。第１の基板１４０上の信号処理部材１３０は、第２の基板１４５上のデータソース１０５から受信したデータを復号およびデータ受信器１３５に出力する。
【００２３】
図示の実施例において、第１の回路基板１４０上の光源１１０は光線を発生させ、光線は第２の回路基板１４５上の反射型変調器１１５の方へ放射される。したがって、光源１１０および反射型変調器１１５は光学的に接続される。当該接続は図１に示すように自由空間に形成される光学経路からなっていてもよく、もしくは導波路もしくは、当該接続を特定の用途に最適に適合するよう曲折および成形するその他の光学素子を含んでいてもよい。
【００２４】
光変調器１１５は、選択的にオン・オフするよう、もしくは光源１１０が発生する光線をデータソース１０５からのデータ信号に応じてその他の方法で操作するよう構成され、これによりデータソース１０５からのデータをデータ送信用の光信号に符号化する。当業者には明らかなように、有効な光学的変調方法には様々なものがあり、これらはデータソース１０５からのデータを、光源１１０が発生する光信号に符号化するために用いてもよい。
【００２５】
本実施例における光変調器１１５はまた、変調後に光線を、第１および第２の回路基板（１４０および１４５それぞれ）の間のそれぞれの光結合を介して逆反射する反射型変調器として構成してもよい。したがって、変調された光線もしくは光信号は光結合により前記第１の回路基板１４０上の前記受光器１２５に供給される。
【００２６】
受光器１２５は、変調された光線を検出し、対応する信号を信号処理復調部材１３０に出力する。信号処理復調部材１３０は、変調された光線により搬送されるデータを復調し、当該データを使用可能な形式でデータ受信器１３５に供給する。
【００２７】
以下に、装置の本実施例における構成部材の様々な詳細を説明する。例えば、反射型変調器１１５は微小電気機械システム（ＭＥＭＳ）による共振器を用いて光線を変調および反射してもよい。また、光変調器１１５は選択的に透過性を有するよう構成されてもよく、このことによって、所定の波長もしくは波長バンドの外の光信号が変調器１１５を介して送信される。そのような実施例においては、変調器１１５は特定の波長もしくは波長バンドの光信号を高反射し、その他の波長の光信号を略透過するよう構成される。光源１１０からの光信号はこれに対応するよう、変調器１１５により変調および反射される波長に構成される。
【００２８】
さらに、変調器１１５は調節可能に構成されてもよく、このことによって、変調器１１５が反射および変調する波長バンドが制御可能になる。そのような変調器１１５はＭＥＭＳ、電荷注入を介した指数変調、例えば電気光学効果を制御して光線を変調する非線形光信号もしくは外部光信号を介した指数変調を用いていてもよい。実施の形態によっては、光変調器１１５は導波モード共鳴構造（ＧＭＲ）からなっていてもよい。他の実施の形態においては、光変調器は量子井戸変調器、薄膜フィルタ等からなっていてもよい。
【００２９】
実施の形態によっては、光源１１０は垂直キャビティ面発光レーザ（「ＶＣＳＥＬ」）からなっていてもよい。他の実施の形態においては、光源１１０は他の種類の半導体レーザ、発光ダイオード、ランプ、白熱灯等を含んでもよい。
【００３０】
実施の形態によっては、データソース１０５は、第２の回路基板１４５上において、データ受信器１３５に送信するデジタルもしくはアナログデータを供給する１個または複数の集積回路からなっていてもよい。図示のように、データソース１０５は反射型変調器１１５と通信を行う。光源１１０が適切な波長の光線を供給すると、変調器１１５は光線を変調し、変調された光線もしくは光信号を第１の回路基板１４０上の受光器１２５に反射してもよい。実施の形態によっては、データソース１０５は、各々がデータを供給、もしくは変調器１１５が生成した第１の回路基板１４０に送信するためのデータに寄与する複数の異なる構成部材を含んでいてもよい。
【００３１】
受光器１２５は変調された光線を受光し、変調された光線の例えば振幅、位相等、１個または複数の特性を表わす電気信号を出力する。例えば、受光器１２５は、受光した光線に含まれる符号化もしくは変調されたデータを支持するデータ信号を生成してもよい。これにより、データ受信器１３５は、データソース１０５の構成部材から送信されたデータを受信および使用可能となる。
【００３２】
実施の形態によっては、受光器１２５は例えばフォトダイオード等、１個または複数の光検出器もしくは光センサを含んでいてもよい。他の実施の形態においては、受光器１２５は１個または複数の導波路、光ファイバ材料、光ケーブル、光学センサ、レンズ、光検出半導体、およびそれらの組合せを含んでいてもよいが、これに制限されるものではない。
【００３３】
データ受信器１３５に送信される前に、受光器１２５により受信された信号が信号処理復調部材１３０により解析されてもよい。回路基板上に複数の受信器が存在する場合、部材１３０は変調された光線からのデータを対応するデータ受信器１３５に対応付けしてもよい。対応するデータ受信器１３５（複数可）は、本明細書において他の図を参照してより詳細に説明するように、当技術分野で公知のいずれの方法により識別されてもよい。
【００３４】
図２は、他の実施例である光インターコネクト２００を示す。光インターコネクト２００は図１に記載のものと同様の構成部材を備えるが、本実施の形態による光インターコネクト２００は２個の異なるチャネルを介してデータを並行して送受信するよう構成される。
【００３５】
光インターコネクト２００は、第１の回路基板２６０上に配置される第１および第２の光源２１０および２４０、第１および第２の受光器２２０および２３５、および第１および第２の信号処理部材２１５および２４５を含む。第２の回路基板２６５上には第１および第２のデータソース２０５および２５０、および第１および第２の光変調器２２５および２３０が設けられ、上述したように、データソース２０５および２５０からのデータを第１の回路基板２６０上の第１および第２のデータ受信器２５５および２７０に供給する。
【００３６】
実施例に示すように、第１の光変調器２２５は、第１の光源２１０からの光信号を第１のデータソース２０５からのデータを用いて変調および反射するよう構成される。第２の光変調器２３０は、第２の光源２４０からの光信号を変調および反射するよう構成され、これにより、第２のデータソース２５０からのデータを送信する。第１の変調器２２５により変調された光信号は、第１の受光器２２０の方向へ反射され、第２の光変調器２３０により変調された光信号も同様に第２の受光器２３５の方向へ反射される。
【００３７】
本実施例は２個の独立した光データチャネルのみを備えるが、特定の用途に最適に適合するよう任意の数のデータチャネルを設けてもよいこととする。
【００３８】
［模範的なシステム］
図３は、他の実施例である装置３００を示す。光インターコネクト３００は、第１の回路基板３５０に配置される光源３０５および受光器３１５を含む。反射型光変調器３１０が第２の回路基板３５５上に配置される。
【００３９】
図３に示すように、装置の回路基板は相互に対して所定の傾き、もしくは他の形態のずれを有する場合がある。当該ずれは、回路基板３５０および３５５の誤配置、装置に対する振動、揺動、その他の衝撃、もしくはその他の原因により発生する場合がある。例えば、冷却ファンからの振動により回路基板３５０および３５５間にいくらかのずれが発生する場合がある。このような基板３５０および３５５のずれにより、光源３０５により生成された光信号が反射型変調器３１０の中心に正確に放射されない場合がある。しかしながら、光信号が対応する送信先に確実に到達するよう複数の方法を用いてもよい。
【００４０】
本実施の形態において、光変調器は二次元の曲面として記載されている。このような湾曲構造により、２個の回路基板３５０および３５５間の当該傾きによる変調器への影響を低減することが可能である。他の実施の形態においては、変調器３１０は正確に光信号を反射するその他の形状に形成されてもよい。当該形状は、三次元の湾曲形状、略放物線形状、二次元のコーナーキューブ反射体、三次元のコーナーキューブ反射体等からなっていてもよいが、これに制限されるものではない。
【００４１】
本実施の形態はまた、レンズ３２０を含む。本実施の形態において、レンズは光源３０５と反射型変調器３１０との間に配置される。光信号が対応する送信先に到達するよう、レンズ３２０を用いて当該光信号の視準を合わせること、再放射、もしくは集光をしてもよい。また、装置の様々な場所に１個または複数のその他のレンズもしくは反射鏡を備えることにより、光線を誘導、集光、もしくは視準を合わせてもよい。レンズもしくは反射鏡は略固定されてもよく、もしくは移動可能であってもよい。一実施の形態においては、レンズは作動装置により選択的に変更されてもよい。また、光学部品の誤配置を検出するセンサを設けることにより、作動装置がレンズを交換し、光線の方向を変更するようにしてもよい。
【００４２】
図４は、他の実施例である装置４００を示す。装置４００は第１の回路基板４０５、第２の回路基板４１０、第３の回路基板４１５、および第４の回路基板４２０を含み、本明細書に記載の原理に基づく実施例である光インターコネクト４４５を用いている。光インターコネクト４４５は、光信号で符号化されたデータを第２、第３および第４の基板４１０、４１５および４２０から第１の回路基板４０５に送信するために用いられる。回路基板４０５、４１０、４１５および４２０は複数の回路基板を選択的に接続、分離および／もしくは置換するラックに収容してもよい。
【００４３】
反射型変調器４２５、５３０および４３５はまた格子として機能、もしくは格子構造および反射型変調器を結合することが可能なため、第１の基板６０５上に配置される光源４４０および受光器４４１を用いて多対一回路基板による通信を実行してもよい。本実施の形態において、光源４４０は、光信号の波長を任意のタイミングで変更可能なように構成されてもよい。本実施の形態による光変調器４２５、４３０および４３５は、大部分の波長の光を略透過し、調節可能な狭いバンドの光を高反射する格子であってもよい。変調器４２５、４３０および４３５は、例えば導波モード共鳴フィルタ（ＧＭＲ）からなっていてもよい。実施の形態によっては、変調器４２５、４３０および４３５は略透明基板、もしくは回路基板に設けられる間隙もしくは孔に実装されてもよく、これにより、反射されない光が変調器を透過し、場合によっては装置内の他の回路基板および変調器へ引続き伝達する。
【００４４】
本実施例において、第２の基板４１０上の変調器４３０は、波長λ1を有する光信号のみを反射的に変調するよう構成される。第３および第４の基板６１５および６２０は、それぞれ波長λ2およびλ3の光のみを選択的に反射および変調するよう構成される。
【００４５】
例えば、光源が波長λ2の光信号を放射すると、光線は第２の回路基板４１０上の変調器４２５を透過し、第３の回路基板４１５上の変調器４３０により反射的に変調される。その後、反射された光線は、第３の基板４１５上の変調器４３０により第１の基板４０５上の受光器４４１に再放射されてもよい。
【００４６】
したがって、第３の回路基板４３０から第１の回路基板４０５への通信が行われる。光源４４０が放射する波長を制御することにより、第２、第３もしくは第４の回路基板４２５、４３０および４３５のいずれかから第１の回路基板４０５への通信が可能となる。
【００４７】
ラック内の基板は迅速および容易に置換できることが非常に望ましいため、光インターコネクト４４５は回路基板４０５、４１０、４１５、および４２０の微細な配置ミスに耐性を有するよう構成される。また、本明細書において上述した原理に基づき、装置は光信号の正確な送信先への送信を支援するよう構成される湾曲もしくは成形された変調器４２５、４３０および４３５および／もしくはレンズおよび／もしくは反射鏡（図示せず）を備えていてもよい。レンズもしくは反射鏡は回路基板４０５、４１０、４１５、および４２０に対して任意の位置に略固定してもよく、もしくは移動可能であってもよい。
【００４８】
光インターフェース４４５の受光器４４１は、回路基板４０５、４１０、４１５、および４２０間で送受信される光信号においてデータを符号化、変調、復号、および／もしくは復調するハードウェアおよび／もしくはソフトウェアを備えていてもよい。更に、光インターコネクト４４５は、光信号から受信した情報を対応するデータ受信器に供給する信号処理ハードウェアおよび／もしくはソフトウェアを含んでいてもよい。更に、本明細書において上述した原理により、基板のずれに対する耐性を向上可能である。
【００４９】
［例示的な方法］
図５は、実施例である光通信方法５００のフローチャートを示す。例示的な方法５００は、第１の回路基板上に光源を設け（工程５０５）、光信号を生成して光信号を第２の回路基板上の変調器に向け（工程５１０）、第２の回路基板上の変調器により光信号を変調して変調した光信号を第１の基板に逆反射し（工程５１５）、および光信号を第１の基板上の受光器で受信すること（工程５２５）を含む。
【００５０】
その後、信号処理を実行して、受信した光信号を対応するデータ受信器に対応付けする（工程５３０）。その後、受信した光信号を復調して符号化したデータを取り出し（工程５３５）、データを対応する受信器に供給する（工程５４０）。
【００５１】
図６は、例示的な光通信方法６００のフローチャートを示す。この例示的な方法６００は、第１の回路基板上の光源において光信号を生成し（工程６０５）、複数のその他の基板上の変調器を調整して所定の波長を有する光信号のみを反射および変調し（工程６１０）、適切な波長の光信号をその他の回路基板のいずれか１個上にある変調器により変調して、変調した光信号を第１の基板の方へ逆反射し（工程６１５）、および光信号を第１の基板上の受光器において受信すること（工程６２５）を含む。
【００５２】
その後、信号処理を実行して受信した光信号を対応するデータ受信器に対応付けする（工程６３０）。その後、受信した光信号を復調して符号化したデータを取り出し（工程６３５）、データを対応する受信器に供給する（工程６４０）。
【図１】
2010535455.tif 000003
【図２】
2010535455.tif 000004
【図３】
2010535455.tif 000005
【図４】
2010535455.tif 000006
【図５】
2010535455.tif 000007
【図６】
2010535455.tif 000008
【国際調査報告】
2010535455.tif 000009
2010535455.tif 000010